(57)【要約】【課題】  光学フィルタの挿抜で生じるピント位置のズレを補正するための補正量を決定する機能を撮像装置に設けずに、当該撮像装置に当該ズレを補正させることができる外部装置、外部装置の制御方法、撮像システムおよび撮像システムの制御方法を提供する。【解決手段】  撮像装置１と通信可能に接続されたピント補正設定アプリケーションは、撮像装置１のレンズ群１０１の光路に光学フィルタ１０２が挿抜されることにより生じるピント位置のズレを補正するためのピント位置補正量を、各種光源ごとにピント位置補正量テーブルに保持し、ウインドウ２０１で光源を選択し、この保持されたピント位置補正量のうち、選この選択された光源に対応するピント位置補正量を取得し、この挿抜の際、この取得されたピント位置補正量でピント位置を補正するように撮像装置１を制御する。【選択図】  図３
2014120923.tif 000002
【特許請求の範囲】
【請求項１】
撮像装置と通信可能に接続された外部装置であって、
前記撮像装置の撮像光学系の光路に光学フィルタが挿抜されることにより生じるピント位置のズレを補正するためのピント位置補正量を、各種光源ごとに保持する保持手段と、
光源を選択する選択手段と、
前記保持されたピント位置補正量のうち、前記選択された光源に対応するピント位置補正量を取得する取得手段と、
前記挿抜される際、前記取得されたピント位置補正量でピント位置を補正するように前記撮像装置を制御する制御手段と、
を有することを特徴とする外部装置。
【請求項２】
前記ピント位置補正量は、光源、ズーム位置、フォーカス位置、絞り、および温度のうち少なくとも１つ以上のパラメータの変化に伴って、変化することを特徴とする請求項１に記載の外部装置。
【請求項３】
前記撮像装置が前記ピント位置補正量を決定する決定手段を備えるか否かを判定する判定手段と、
前記判定手段で備えていないと判定された場合には、前記制御手段を実行し、前記判定手段で備えていると判定された場合には、前記制御手段を実行しない実行手段と、
をさらに有することを特徴とする請求項１に記載の外部装置。
【請求項４】
前記撮像装置の本体と、前記撮像光学系としての交換レンズであって前記本体に着脱可能な交換レンズと、の組み合わせを判定する判定手段をさらに有し、
前記選択される光源の種類および前記取得されるピント位置補正量のそれぞれは、前記判定された組み合わせに応じて変化することを特徴とする請求項１に記載の外部装置。
【請求項５】
撮像装置と通信可能に接続された外部装置の制御方法であって、
前記撮像装置の撮像光学系の光路に光学フィルタが挿抜されることにより生じるピント位置のズレを補正するためのピント位置補正量を、各種光源ごとに保持部に保持させる保持ステップと、
光源を選択する選択ステップと、
前記保持されたピント位置補正量のうち、前記選択された光源に対応するピント位置補正量を取得する取得ステップと、
前記挿抜される際、前記取得されたピント位置補正量でピント位置を補正するように前記撮像装置を制御する制御ステップと、
を有することを特徴とする外部装置の制御方法。
【請求項６】
撮像光学系の光路に光学フィルタが挿抜されることで生じるピント位置のズレを補正する撮像装置に、ネットワークを介して接続される外部装置であって、
ズーム位置を設定するズーム位置設定手段と、
前記設定された後に、光源の種類を選択する光源選択手段と、
前記設定されたズーム位置と前記選択された種類とに基づき、前記ズレを補正するためのピント位置補正量を決定する補正量決定手段と、
前記決定されたピント位置補正量を前記撮像装置に前記ネットワークを介して送信する送信手段と、
を有することを特徴とする外部装置。
【請求項７】
前記撮像装置から送信される映像信号を受信する受信手段と、
前記設定される際、前記受信された映像信号に対応する画像を表示部に表示させる表示制御手段と、
をさらに有することを特徴とする請求項６に記載の外部装置。
【請求項８】
前記撮像装置から送信される映像信号を受信する受信手段と、
前記選択される際、前記受信された映像信号に対応する画像を表示部に表示させる表示制御手段と、
をさらに有することを特徴とする請求項６に記載の外部装置。
【請求項９】
前記送信手段は、前記決定されたピント位置補正量とともに、前記設定されたズーム位置を送信することを特徴とする請求項６に記載の外部装置。
【請求項１０】
前記送信手段は、前記決定されたピント位置補正量とともに、前記選択された種類を送信することを特徴とする請求項６に記載の外部装置。
【請求項１１】
前記撮像装置の光源の種類を判定する判定手段と、
前記判定された種類を判別可能に表示部に表示させる表示制御手段と、
をさらに有することを特徴とする請求項６に記載の外部装置。
【請求項１２】
撮像光学系の光路に光学フィルタが挿抜されることで生じるピント位置のズレを補正する撮像装置に、ネットワークを介して接続される外部装置の制御方法であって、
ズーム位置を設定するズーム位置設定ステップと、
前記設定された後に、光源の種類を選択する光源選択ステップと、
前記設定されたズーム位置と前記選択された種類とに基づき、前記ズレを補正するためのピント位置補正量を決定する補正量決定ステップと、
前記決定されたピント位置補正量を前記撮像装置に前記ネットワークを介して送信する送信ステップと、
を有することを特徴とする外部装置の制御方法。
【請求項１３】
撮像光学系の光路に光学フィルタが挿抜されることで生じるピント位置のズレを補正する撮像装置と、当該撮像装置とネットワークを介して接続される外部装置と、で構成される撮像システムであって、
前記外部装置は、
ズーム位置を設定するズーム位置設定手段と、
前記設定された後に、光源の種類を選択する光源選択手段と、
前記設定されたズーム位置と前記選択された種類とに基づき、前記ズレを補正するためのピント位置補正量を決定する補正量決定手段と、
前記決定されたピント位置補正量を前記撮像装置に前記ネットワークを介して送信する送信手段と、
を有し、
前記撮像装置は、
前記送信されたピント位置補正量を受信する受信手段と、
前記挿抜される際、前記受信されたピント位置補正量でピント位置を補正するピント位置補正手段と、
を有することを特徴とする撮像システム。
【請求項１４】
撮像光学系の光路に光学フィルタが挿抜されることで生じるピント位置のズレを補正する撮像装置と、当該撮像装置とネットワークを介して接続される外部装置と、で構成される撮像システムの制御方法であって、
前記外部装置において、
ズーム位置を設定するズーム位置設定ステップと、
前記設定された後に、光源の種類を選択する光源選択ステップと、
前記設定されたズーム位置と前記選択された種類とに基づき、前記ズレを補正するためのピント位置補正量を決定する補正量決定ステップと、
前記決定されたピント位置補正量を前記撮像装置に前記ネットワークを介して送信する送信ステップと、
前記撮像装置において、
前記送信されたピント位置補正量を受信する受信ステップと、
前記挿抜される際、前記受信されたピント位置補正量でピント位置を補正するピント位置補正ステップと、
を有することを特徴とする撮像システムの制御方法。
【発明の詳細な説明】
【技術分野】
【０００１】
本発明は、光学フィルタの挿抜で生じるピント位置のズレを補正する撮像装置と通信可能な外部装置、当該外部装置の制御方法、当該撮像装置と当該外部装置とで構成される撮像システム、および当該撮像システムの制御方法に関する。
【背景技術】
【０００２】
従来から、カメラには、レンズを通って入射してくる光のうち、所定の波長の光を遮断するために、赤外線カットフィルタ（以下、ＩＲＣＦと称することがある）などの光学フィルタを用いられていた。たとえば、被写体からの光がＩＲＣＦを経由することで、人の見た目と同じくなるように、映像が赤みがかるのを防止することができる。
【０００３】
さらに、低照度環境下でも明るい映像が撮影できるよう、カメラに装着されているＩＲＣＦを撮像光学系の光路上から抜き、赤外領域の波長の光もセンサに取り込むことができるカメラが知られている。
【０００４】
このような機能を一般的にはデイナイト機能と呼び、被写体が明るい環境下である場合には、ＩＲＣＦを光路上に挿入したデイモードで、逆に被写体が暗い環境下ではＩＲＣＦを光路上から抜いたナイトモードで、撮影を行う。
【０００５】
このＩＲＣＦを抜いたナイトモードの状態では、赤外領域の光がセンサに入ってくるようになるため、ＩＲＣＦが挿入されているときと入射光の波長成分が異なってくる。このセンサに入射してくる光の波長の変化により、ピント位置が変化してしまい、ピントがぼけた映像になってしまうことがあった。
【０００６】
特許文献１には、レンズ系に備えられた操作部から近赤光の波長情報が入力され、入力された波長情報の光を透過するバンドパスフィルタを光軸上に配置させる撮像装置が開示されている。さらに、この撮像装置は、入力された波長情報および変倍レンズの光軸位置に対応する光軸位置をメモリから読み出し、読み出した光軸位置に後群を位置させて、フォーカスシフトの影響が生じないようにするものである。
【０００７】
また、特許文献２には、ＩＲＣＦとクリアガラスの厚さと屈折率から補正データを算出し、算出した補正データを用いてトラッキングレンズを変位させるテレビカメラが開示されている。この補正データは、標準撮影モードにおいて光軸上に配置されるＩＲＣＦと、近赤外撮影モードにおいて光軸上に配置されるクリアガラスの厚さの違いを要因とする光学長の変化を補正するためのデータである。
【先行技術文献】
【特許文献】
【０００８】
【特許文献１】特開２０１２―０３２６８９号公報
【特許文献２】特開２００６−１６２７５７号公報
【発明の概要】
【発明が解決しようとする課題】
【０００９】
しかしながら、上述の特許文献に開示された従来技術は、ピント位置の補正量をカメラ内部で決定するものであり、このような補正量を決定する機能を持たないカメラでは、ピント位置を補正することができなかった。
【００１０】
本発明は上記のような点に鑑みてなされたものである。光学フィルタの挿抜で生じるピント位置のズレを補正するための補正量を決定する機能を撮像装置に設けずに、当該撮像装置に当該ズレを補正させることができる外部装置、外部装置の制御方法、撮像システムおよび撮像システムの制御方法を提供することである。
【課題を解決するための手段】
【００１１】
上記目的を達成するために、本発明の外部装置は、撮像装置と通信可能に接続された外部装置であって、前記撮像装置の撮像光学系の光路に光学フィルタが挿抜されることにより生じるピント位置のズレを補正するためのピント位置補正量を、各種光源ごとに保持する保持手段と、光源を選択する選択手段と、前記保持されたピント位置補正量のうち、前記選択された光源に対応するピント位置補正量を取得する取得手段と、前記挿抜される際、前記取得されたピント位置補正量でピント位置を補正するように前記撮像装置を制御する制御手段と、を有することを特徴とする。
【００１２】
また、上記目的を達成するために、本発明の外部装置の制御方法は、撮像装置と通信可能に接続された外部装置の制御方法であって、前記撮像装置の撮像光学系の光路に光学フィルタが挿抜されることにより生じるピント位置のずれを補正するためのピント位置補正量を、各種光源ごとに保持部に保持させる保持ステップと、光源を選択する選択ステップと、前記保持されたピント位置補正量のうち、前記選択された光源に対応するピント位置補正量を取得する取得ステップと、前記挿抜される際、前記取得されたピント位置補正量でピント位置を補正するように前記撮像装置を制御する制御ステップと、を有することを特徴とする。
【００１３】
また、上記目的を達成するために、本発明の外部装置は、撮像光学系の光路に光学フィルタが挿抜されることで生じるピント位置のズレを補正する撮像装置に、ネットワークを介して接続される外部装置であって、ズーム位置を設定するズーム位置設定手段と、前記設定された後に、光源の種類を選択する光源選択手段と、前記設定されたズーム位置と前記選択された種類とに基づき、前記ズレを補正するためのピント位置補正量を決定する補正量決定手段と、前記決定されたピント位置補正量を前記撮像装置に前記ネットワークを介して送信する送信手段と、を有することを特徴とする。
【００１４】
また、上記目的を達成するために、本発明の外部装置の制御方法は、撮像光学系の光路に光学フィルタが挿抜されることで生じるピント位置のズレを補正する撮像装置に、ネットワークを介して接続される外部装置の制御方法であって、ズーム位置を設定するズーム位置設定ステップと、前記設定された後に、光源の種類を選択する光源選択ステップと、前記設定されたズーム位置と前記選択された種類とに基づき、前記ズレを補正するためのピント位置補正量を決定する補正量決定ステップと、前記決定されたピント位置補正量を前記撮像装置に前記ネットワークを介して送信する送信ステップと、を有することを特徴とする。
【００１５】
また、上記目的を達成するために、本発明の撮像システムは、撮像光学系の光路に光学フィルタが挿抜されることで生じるピント位置のズレを補正する撮像装置と、当該撮像装置とネットワークを介して接続される外部装置と、で構成される撮像システムであって、前記外部装置は、ズーム位置を設定するズーム位置設定手段と、前記設定された後に、光源の種類を選択する光源選択手段と、前記設定されたズーム位置と前記選択された種類とに基づき、前記ズレを補正するためのピント位置補正量を決定する補正量決定手段と、前記決定されたピント位置補正量を前記撮像装置に前記ネットワークを介して送信する送信手段と、を有し、前記撮像装置は、前記送信されたピント位置補正量を受信する受信手段と、前記挿抜される際、前記受信されたピント位置補正量でピント位置を補正するピント位置補正手段と、を有することを特徴とする。
【００１６】
また、上記目的を達成するために、本発明の撮像システムの制御方法は、撮像光学系の光路に光学フィルタが挿抜されることで生じるピント位置のズレを補正する撮像装置と、当該撮像装置とネットワークを介して接続される外部装置と、で構成される撮像システムの制御方法であって、前記外部装置において、ズーム位置を設定するズーム位置設定ステップと、前記設定された後に、光源の種類を選択する光源選択ステップと、前記設定されたズーム位置と前記選択された種類とに基づき、前記ズレを補正するためのピント位置補正量を決定する補正量決定ステップと、前記決定されたピント位置補正量を前記撮像装置に前記ネットワークを介して送信する送信ステップと、前記撮像装置において、前記送信されたピント位置補正量を受信する受信ステップと、前記挿抜される際、前記受信されたピント位置補正量でピント位置を補正するピント位置補正ステップと、を有することを特徴とする。
【発明の効果】
【００１７】
本発明によれば、次のような外部装置、外部装置の制御方法、撮像システムおよび撮像システムの制御方法を提供することができる。すなわち、光学フィルタの挿抜で生じるピント位置のズレを補正するための補正量を決定する機能を撮像装置に設けずに、当該撮像装置に当該ズレを補正させることができる外部装置、外部装置の制御方法、撮像システムおよび撮像システムの制御方法である。
【図面の簡単な説明】
【００１８】
【図１】本発明の実施形態に係る、撮像装置を制御するための構成を示すブロック図である。
【図２】本発明の実施形態に係る、デイナイトモード切換え時フォーカス設定アプリケーションの画面を示す図である。
【図３】本発明の実施例１に係る、デイナイトモード切換え時のピント位置補正処理を示すフローチャートである。
【図４】本発明の実施例１に係る、図３とは異なる、デイナイトモード切換え時のピント位置補正処理を示すフローチャートである。
【図５】本発明の実施例２に係る、デイナイトモード切換え時のピント位置補正処理を示すフローチャートである。
【図６】本発明の実施形態に係る、ピント補正設定アプリケーションの画面を示す図である。
【図７】本発明の実施形態に係る、ピント位置補正量テーブルを示す図である。
【発明を実施するための形態】
【００１９】
以下に、本発明の好ましい実施形態を、添付の図面に基づいて詳細に説明する。図１は、本発明の実施形態に係る、撮像装置１を制御するための構成を示すブロック図である。
【００２０】
なお、本実施形態における撮像装置１は、後述の外部設定部１１７を除く、図１に示される各部で構成される。また、本実施形態における撮像装置１は、監視カメラとして用いられるネットワークカメラであるものとするが、これに限られるものではない。たとえば、ビデオカメラなどでも良い。
【００２１】
図１において、レンズ群１０１は、被写体から入射した光を撮像素子１０５上に集光する撮像光学系である。このレンズ群１０１には、被写体に対するピント合わせを行うためのフォーカスレンズや、画角を調整するためのズームレンズ等が含まれる。
【００２２】
レンズ群１０１を通って撮像装置１内に入ってきた光は、光学フィルタ１０２を通過した後、絞り１０３で光量調整が施される。ここで、絞り１０３は、撮像素子１０５に入射する光量を調整するためのものである。
【００２３】
なお、本実施形態では、光学フィルタ１０２として、例えば、ＩＲＣＦを用いるものとするが、これに限られるものではない。たとえば、ＮＤフィルタ、所定の波長領域の光を透過するバンドパスフィルタなどでも良い。
【００２４】
絞り１０３で光量調整された光は、撮像素子１０５の受光面の画素毎に所定の順序で配列されたカラーフィルタ１０４を通り、撮像素子１０５で受光される。この撮像素子１０５は、受光した光から撮像信号を生成してアナログ信号として出力する。そして、撮像素子１０５で生成された撮像信号は、ＡＧＣ１０６でゲインコントロールされることで撮像信号の輝度調整が施され、Ａ／Ｄ変換部１０７でデジタル信号に変換される。
【００２５】
映像信号処理部１０８は、Ａ／Ｄ変換部１０７から出力された撮像信号に所定の処理を施し、画素毎の輝度信号と色信号を出力するものであり、出力用の映像を作るとともに、カメラ制御を行うための各パラメータを作成する。ここで、カメラ制御を行うための各パラメータとしては、絞り１０３の制御や、ピント合わせの制御、色味を調整するホワイトバランス制御などで使われるものがあげられる。
【００２６】
映像信号出力部１０９は、映像信号処理部１０８から出力された映像信号を外部に出力する。露出調整部１１０は、映像信号処理部１０８から出力される輝度信号から撮影画面内の輝度情報を算出し、撮影画像を所望の明るさに調整すべく、絞り１０３およびＡＧＣ１０６を制御する。また、シャッタースピードを調整する事で、撮像素子１０５の蓄積時間を調整し、明るさの調整を行うこともできる。
【００２７】
ピント調整部１１１は、次のようなピント合わせ動作を行う。具体的には、映像信号処理部１０８から出力された映像信号から高周波成分を抜き出し、抜き出した高周波成分の値をフォーカスピント情報（フォーカス評価値）として、このフォーカス評価値が最大となるようにフォーカスレンズ位置を設定する。
【００２８】
また、ピント調整部１１１は、フォーカスレンズをこの設定されたフォーカスレンズ位置に位置させるように、レンズ制御部１１２を制御する。ここで、レンズ制御部１１２は、レンズ群１０１の位置などを制御する。さらに、ピント調整部１１１は、レンズ群１０１の光路に対して光学フィルタ１０２を挿抜することで生じるピント位置のズレを補正するピント位置ズレ補正機能を有する。
【００２９】
たとえば、このピント位置ズレ補正機能は、このズレを補正するためのピント位置補正量を、撮像装置１の光源やズーム位置などのパラメータから算出する。そして、光学フィルタ１０２の挿抜に合わせ、算出されたピント位置補正量を用いて、撮像装置１のピント位置を調整する。
【００３０】
なお、このようなピント位置補正量は、次のようなパラメータの値が変化することで変化する。すなわち、撮像装置１の、光源、ズーム位置、フォーカス位置、絞り、および温度などのパラメータである。
【００３１】
ズーム調整部１１３は、ズームレンズの位置の設定を行い、レンズ制御部１１２を制御することで、ズームレンズを移動させる。輝度判定部１１４は、被写体の明るさを判定して、光学フィルタ１０２の挿抜を判断し、光学フィルタ制御部１１５を制御することで、光学フィルタ１０２の挿抜を行う。
【００３２】
光学フィルタ制御部１１５は、レンズ群１０１の光路に光学フィルタ１０２が挿入された状態で、被写体の明るさが所定の明るさよりも明るくないと輝度判定部１１４により判定された場合には、レンズ群１０１の光路から光学フィルタ１０２を抜く。一方、光学フィルタ制御部１１５は、レンズ群１０１の光路から光学フィルタ１０２が抜かれた状態で、被写体の明るさが所定の明るさよりも明るいと輝度判定部１１４により判定された場合には、レンズ群１０１の光路に光学フィルタ１０２を挿入する。
【００３３】
なお、撮像装置１は、撮像装置１の外部から光学フィルタ１０２の挿抜の指示があったときは、輝度判定部１１４の判定よりもこの指示を優先して光学フィルタ１０２の挿抜を行う。
【００３４】
カメラ設定部１１６は、現在のカメラステータスを管理する機能と、外部から指定されたカメラ制御命令に基づいてカメラ設定を行う機能を有している。ここで、カメラステータスとは、撮像装置１の状態を示す情報である。この撮像装置１の状態として、ズーム位置、フォーカス位置、絞り情報、光学フィルタの挿抜状態、およびフォーカスモード（オートフォーカス（以下、ＡＦと称することがある）やマニュアルフォーカス（以下、ＭＦと称することがある））などがある。
【００３５】
また、カメラ設定とは、フォーカスモード（ＡＦやＭＦ）、フォーカス位置指定、ズーム位置指定、絞り指定等といったカメラ設定を行うものである。
【００３６】
外部設定部１１７は、これまでに述べているピント補正を撮像装置１に行わせるためのアプリケーションを含む、撮像装置１のカメラ設定を行うための設定部の総称である。また、外部設定部１１７は、遠隔地に設置された撮像装置１に対して、ネットワークを介して通信可能に接続される。
【００３７】
また、外部設定部１１７は、表示部を備えており、この表示部には、映像信号出力部１０９から出力された映像信号に対応する映像を表示する。
【００３８】
なお、本実施形態における外部設定部１１７は、ピント合わせ、明るさ指定、ズーム位置指定およびパンチルト操作といった、いわゆる一般的なカメラ操作を行うためのアプリケーションを稼働させるパソコンであるものとする。また、本実施形態において、撮像装置１と外部設定部１１７とは、撮像システムを構成する。
【００３９】
続いて、図２および図６を参照して、レンズ群１０１の光路に対して光学フィルタ１０２を挿抜する際のピント補正に係る設定を行うための、ピント補正設定アプリケーションを説明する。このピント補正設定アプリケーションは、外部設定部１１７で稼働するアプリケーションである。
【００４０】
なお、図２および図６では、このピント補正設定アプリケーションの一例として、デイナイトモード切換え時のフォーカス設定を行うための「デイナイトモード切換え時フォーカス設定アプリケーション」の画面を示している。また、図２および図６に示す画面は、外部設定部１１７の表示部に表示される。
【００４１】
図６において、映像表示部６０１は、映像信号出力部１０９からネットワークを介して送信された映像信号に対応する映像を表示する。そして、ローテーション操作部６０２およびローテーションボタン６１１は、撮像装置１の撮像ユニットをレンズ群１０１の光軸回りに回転させるための操作部である。また、ズームボタン６０３、６０４、６１２およびズームスライダー６０５は、撮像装置１のズーム位置を設定するための操作部である。
【００４２】
なお、本実施形態における撮像装置１の撮像ユニットは、レンズ群１０１、光学フィルタ１０２、絞り１０３、カラーフィルタ１０４、および撮像素子１０５などから構成され、被写体を撮像して撮像信号を生成するものである。また、本実施形態におけるズームボタン６０３、６０４、６１２およびズームスライダー６０５は、撮像装置１のズーム位置を設定するためのズーム位置設定部に相当する。
【００４３】
操作アシスト選択部６０６は、パン操作とチルト操作が可能な範囲を映像表示部６０１に表示するか否かを選択するための操作部である。なお、「操作アシストの補正」操作部６０８は、映像表示部６０１に表示されるパン操作とチルト操作が可能な範囲を、撮像装置１の実際の撮影方向と一致させるように補正させるための操作部である。
【００４４】
操作ボタン選択部６０７は、後述のパンボタン６０９およびチルトボタン６１０を表示するか否かを選択するための操作部である。
【００４５】
パンボタン６０９は、撮像装置１の撮像ユニットをパン方向に回転させるための操作部である。チルトボタン６１０は、撮像装置１の撮像ユニットをチルト方向に回転させるための操作部である。映像反転選択部６１３は、撮像装置１の映像の向きを選択するための操作部であり、たとえば、「反転する」を選択すると、撮像装置１は、映像を１８０度回転して出力する。
【００４６】
フォーカス操作部６１４は、たとえば、フォーカスをマニュアル操作で任意の位置に合わせるか、無限遠に固定するための操作部である。さらに、「ワンショットＡＦ」操作部６１５は、この操作部のボタンが押下されると、一時的にオートフォーカスが作動し、ピントを合わせることができる。露出補正操作部６１６は、撮像装置１の映像の明るさを設定させるための操作部である。なお、図６のウインドウ２０１は、図２を用いて詳述する。
【００４７】
図２に示すように、ピント補正設定アプリケーションのウインドウ２０１では、撮像装置１におけるデイモードとナイトモードとの切換えに応じたフォーカス制御を、選択することができる。
【００４８】
具体的には、ウインドウ２０１では、項目「制御しない」に対応付けられたラジオボタン２０２と、項目「ワンショットＡＦを実行」に対応付けられたラジオボタン２０３と、項目「光源に応じた補正を実行」に対応付けられたラジオボタン２０４と、が表示される。つまり、ウインドウ２０１は、これら３つの項目を選択することができるメニュー画面である。
【００４９】
ここで、各項目の説明をすると、項目「制御しない」は、ピント調整を行わないように、または予め決められたピント位置補正量でピント補正を行うように、撮像装置１に指示するためのものである。たとえば、この項目が選択された場合、撮像装置１は、デイモードとナイトモードとの切換え時にピント調整を行わない、または、予めデフォルトの設定として決められている光源に対してのピント位置補正を行う。
【００５０】
次に、項目「ワンショットＡＦを実行」は、デイモードとナイトモードとの切換え時に１度だけＡＦ動作を行ってピント合わせを行うように、撮像装置１に指示するためのものである。
【００５１】
そして、項目「光源に応じた補正を実行」は、撮像装置１の被写体に照射されている光源が予め分かる場合に選択される項目である。この項目を選択し且つその光源を選択する事により、光源の波長の違いに応じてピントの補正量を適切に補正するように、撮像装置１に指示することができる。
【００５２】
プルダウンメニュー２０５には、選択することができる光源の種類が表示される。なお、この表示される光源の種類は、本実施形態では、蛍光灯、白熱灯（ハロゲン灯）、赤外照明（８５０ｎｍ）、赤外照明（９５０ｎｍ）であるが、これに限られるものではない。たとえば、水銀灯、ナトリウム灯、蛍光灯暖色、蛍光灯白色、蛍光灯昼光色などが含まれていても良い。
【００５３】
また、設定保存ボタン２０６は、デイモードとナイトモードとの切換え時のフォーカス設定を、撮像装置１に保存させるためのボタンである。
【００５４】
なお、本実施形態では、映像表示部６０１とともに、ウインドウ２０１を表示するようにピント補正設定アプリケーションを構成している。したがって、本実施形態のピント補正設定アプリケーションは、プルダウンメニュー２０５で光源の種類が選択される際、映像信号出力部１０９からネットワークを介して送信された映像信号に対応する映像を映像表示部６０１に表示させる表示制御機能を有する。
【００５５】
同様に、本実施形態では、ズームボタン６０３、６０４、６１２およびズームスライダー６０５とともに、ウインドウ２０１を表示するようにピント補正設定アプリケーションを構成している。したがって、本実施形態のピント補正設定アプリケーションは、ズームボタン６０３などで撮像装置１のズーム位置が設定される際、映像信号出力部１０９からネットワークを介して送信された映像信号に対応する映像を映像表示部６０１に表示させる。
【００５６】
また、本実施形態では、ウインドウ２０１の表示の有無にかかわらず、常に、ズームボタン６０３、６０４、６１２およびズームスライダー６０５を用いて撮像装置１のズーム位置を変更することができるようにピント補正設定アプリケーションを構成した。
【００５７】
しかしながら、撮像装置１のズーム位置が変更されると、たとえば、この変更前には被写体に含まれていない、新たな光源が被写体に含まれてしまうことがあり得る。このため、光源の種類が選択された後に、撮像装置１のズーム位置を設定すると、再度、光源の種類を選択しなければならなくなってしまうことがあり、ユーザーにとって煩わしい。
【００５８】
そこで、この煩わしさを解消するために、ピント補正設定アプリケーションを次のように構成しても良い。
【００５９】
すなわち、ズームボタン６０３、６０４、６１２およびズームスライダー６０５で撮像装置１のズーム位置が設定された後、ウインドウ２０１を表示し、プルダウンメニュー２０５で光源の種類をユーザーに選択させるような構成である。さらに、ウインドウ２０１が表示されている場合には、撮像装置１のズーム位置の設定を禁止させ、ウインドウ２０１が表示されていない場合には、この禁止を解除させるように構成しても良い。
【００６０】
なお、撮像装置１の撮像ユニットをパン方向およびチルト方向に回転させる場合も、撮像装置１のズーム位置の設定と同様に、ピント補正設定アプリケーションを構成しても良い。
【００６１】
また、本実施形態では、撮像装置１に通信可能に接続される外部設定部１１７は、１つであるものとした。しかしながら、撮像装置１に通信可能に接続される外部設定部１１７が複数台存在する場合も想定され得る。この場合、ある外部設定部１１７で光源の種類を選択している際に、この外部設定部１１７とは異なる外部設定部１１７から、撮像装置１のズーム位置や撮影方向を変更されてしまう可能性がある。
【００６２】
このように、ある外部設定部１１７で光源の種類を選択している際に、撮像装置１のズーム位置や撮影方向を別の外部設定部１１７から変更されてしまうと、再度、光源の種類を選択しなければならなくなってしまうことがあり、ユーザーにとって煩わしい。
【００６３】
そこで、この煩わしさを解消するために、ピント補正設定アプリケーションを次のように構成しても良い。
【００６４】
すなわち、ある外部設定部１１７でピント補正設定アプリケーションが起動され又はウインドウ２０１が表示されている場合には、別の外部設定部１１７からの接続を拒否するように撮像装置１を制御するように、ピント補正設定アプリケーションを構成しても良い。
【００６５】
さらに、このある外部設定部１１７で、ウインドウ２０１が表示されなくなった又はピント補正設定アプリケーションが終了された場合には、この接続を許可するように撮像装置１を制御するようにピント補正設定アプリケーションを構成しても良い。
【００６６】
また、本実施形態では、ピント補正設定アプリケーションを次のように構成しても良い。すなわち、光源の種類が選択された後かつ撮像装置１にピント位置補正量が送信された後に、ズーム位置または撮影方向が変更された場合には、光源の種類の再設定を促すためのダイアログやメッセージを表示するような構成である。
【００６７】
また、本実施形態では、レンズ群１０１の光路から光学フィルタ１０２が抜かれている状態では、この光学フィルタ１０２を抜いたことによる光路長の変化を吸収するためのダミーガラスがレンズ群１０１の光路に挿入されるように撮像装置１を構成している。しかしながら、このような構成に限られるものではない。たとえば、このようなダミーガラスを撮像装置１に設けなくともよい。
【００６８】
以下、本実施形態における撮像装置１およびピント補正設定アプリケーションを用いた、光源の波長の違いに応じたピント補正の設定方法について、実施例１乃至３で詳細に述べる。
【実施例１】
【００６９】
続いて、図３を参照して、本発明の実施例１における、デイナイトモード切換え時のピント補正の設定方法について説明する。なお、上述の実施形態と重複する部分については、同一の符号を付し、その説明を適宜省略する。
【００７０】
図３は、撮像装置１に対する、デイナイトモード切換え時のピント位置補正処理を示すフローチャートである。なお、この処理は、ピント補正設定アプリケーションにより実行され、且つ、ピント補正設定アプリケーションが起動された際に開始される。また、ピント補正設定アプリケーションは、外部設定部１１７の制御部（不図示）により実行される。
【００７１】
図３におけるステップＳ３０１では、ピント補正設定アプリケーションは、ネットワークを介して撮像装置１と通信可能に接続する。
【００７２】
ステップＳ３０２では、ピント補正設定アプリケーションは、その接続先の撮像装置１（ステップＳ３０１で接続された撮像装置１）が、撮像装置１の光源に応じたピント位置ズレ補正機能を有するか否かを判定する。
【００７３】
具体的には、まず、ピント補正設定アプリケーションは、光源を選択するための光源選択コマンドを撮像装置１に送信する。次に、ピント補正設定アプリケーションは、送信した光源選択コマンドの返信として、撮像装置１がこの光源選択コマンドを実行可能な場合には、成功を示す応答を受信し、撮像装置１がこの光源選択コマンドを実行不可能な場合には、失敗を示す応答を受信する。
【００７４】
そして、ピント補正設定アプリケーションは、成功を示す応答を撮像装置１から受信した場合には、撮像装置１がピント位置ズレ補正機能を有していると判定する。一方、ピント補正設定アプリケーションは、失敗を示す応答を撮像装置１から受信した場合には、撮像装置１がピント位置ズレ補正機能を有していないと判定する。
【００７５】
ピント補正設定アプリケーションは、撮像装置１がピント位置ズレ補正機能を有していると判定した場合には、ステップＳ３０３に処理を進め、撮像装置１がピント位置ズレ補正機能を有していないと判定した場合には、ステップＳ３０４に処理を進める。
【００７６】
ステップＳ３０３では、ピント補正設定アプリケーションは、ピント位置補正量の算出および指示は必要ないものとして、ウインドウ２０１を表示することなく、処理を進める。このように、ウインドウ２０１を非表示とすることで、ユーザーに無用な設定を行わせずに済むこととなる。
【００７７】
ステップＳ３０４では、ピント補正設定アプリケーションは、撮像装置１と接続する際に、ウインドウ２０１を表示する。これは、撮像装置１がピント位置ズレ補正機能を有していない場合には、ピント補正設定アプリケーション側で撮像装置１のピント位置補正量を算出する必要があるためである。
【００７８】
ステップＳ３０５では、ピント補正設定アプリケーションは、ユーザーによる光源の選択を受け付ける。
【００７９】
ステップＳ３０６では、ピント補正設定アプリケーションは、カメラのパラメータを撮像装置１から取得する。たとえば、本実施例では、ピント補正設定アプリケーションは、ズーム位置を撮像装置１から取得するものとする。
【００８０】
ステップＳ３０７では、ピント補正設定アプリケーションは、ステップＳ３０５で受け付けた選択に対応する光源の波長とステップＳ３０６で取得したカメラのパラメータとから、ピント位置補正量を算出する。したがって、本実施例におけるピント補正設定アプリケーションは、ピント位置補正量を決定する補正量決定部としての役割を果たす。
【００８１】
ステップＳ３０８では、ピント補正設定アプリケーションは、ステップＳ３０７で算出したピント位置補正量を撮像装置１に送信する。
【００８２】
そして、撮像装置１は、ピント位置補正量をピント補正設定アプリケーションから受信し、受信したピント位置補正量を用いて、光学フィルタ１０２の挿抜に合わせてピント位置を調整する。
【００８３】
たとえば、撮像装置１は、レンズ群１０１の光路から光学フィルタ１０２を抜く場合には、この抜く前のピント位置と受信したピント位置補正量とを加算し、加算したピント位置に基づいてピントを合わせる。具体的には、撮像装置１は、レンズ群１０１の光路から光学フィルタ１０２を抜く場合には、加算したピント位置にフォーカスレンズを移動させる。
【００８４】
一方、撮像装置１は、レンズ群１０１の光路に光学フィルタ１０２を挿入する場合には、この挿入する前のピント位置と受信したピント位置補正量とを減算し、減算したピント位置に基づいてピントを合わせる。具体的には、撮像装置１は、レンズ群１０１の光路に光学フィルタ１０２を挿入する場合には、減算したピント位置にフォーカスレンズを移動させる。
【００８５】
以上のように、本実施例におけるピント補正設定アプリケーションは、ユーザーにより選択された光源の種類と撮像装置１から取得したズーム位置とに基づいて、光学フィルタ１０２の挿抜の際に用いられるピント位置補正量を算出するように構成されている。
【００８６】
これにより、ピント位置ズレ補正機能を有していない撮像装置であっても、撮像装置１の光源およびズーム位置に応じて適切に、光学フィルタ１０２の挿抜の際のピント位置補正を実現することができ、この結果、ピントの合った映像を表示することができる。
【００８７】
また、本実施例では、図２のウインドウ２０１では、デイナイトモード切換え時のフォーカス動作が選択できるように構成されている。具体的には、ウインドウ２０１では、項目「制御しない」、項目「ワンショットＡＦを実行」および「光源に応じた補正を実行」などの様々な設定が行えるように構成されているが、次のようにウインドウ２０１を構成しても良い。
【００８８】
すなわち、デイモードとナイトモードとの切換えの際に１度だけＡＦ動作を行ってピント合わせを行う機能を撮像装置１が有していない場合には、項目「ワンショットＡＦを実行」が表示されないように、ウインドウ２０１を構成しても良い。一方、この機能を撮像装置１が有している場合には、項目「ワンショットＡＦを実行」が表示されるように、ウインドウ２０１を構成しても良い。
【００８９】
なお、本実施例では、ステップＳ３０８にて、ステップＳ３０７で算出されたピント位置補正量を撮像装置１に送信するように、ピント補正設定アプリケーションを構成したが、これに限られるものではない。
【００９０】
たとえば、ステップＳ３０８にて、ステップＳ３０７で算出されたピント位置補正量とともに、ステップＳ３０５で受け付けた選択に対応する光源を示す光源情報を送信するように、ピント補正設定アプリケーションを構成しても良い。
【００９１】
また、ステップＳ３０８にて、ステップＳ３０７で算出されたピント位置補正量とともに、ステップＳ３０６で取得された撮像装置１のカメラパラメータを送信するように、ピント補正設定アプリケーションを構成しても良い。
【００９２】
また、本実施例では、撮像装置１側がピント位置ズレ補正機能を有している場合には、ウインドウ２０１自体を非表示にするようにピント補正設定アプリケーションを構成したが、これに限られるものではない。
【００９３】
たとえば、ステップＳ３０１で接続された撮像装置がピント位置ズレ補正機能を有している場合でも、ウインドウ２０１を表示してユーザーによる光源の選択を受け付けることができるようにピント補正設定アプリケーションを構成してもよい。
【００９４】
さらに、ピント位置補正量の算出を行うことなく、受け付けた光源の選択に対応する光源を示す情報だけを、ステップＳ３０１で接続された撮像装置に送信するようにピント補正設定アプリケーションを構成しても良い。
【００９５】
ここで、図４は、このように構成されたピント補正設定アプリケーションで実行される、デイナイトモード切換え時のピント位置補正処理を示すフローチャートである。
【００９６】
図４におけるステップＳ４０１、Ｓ４０２は、図３におけるステップＳ３０１、Ｓ３０２と同様であるので、その説明を省略する。
【００９７】
ステップＳ４０３、Ｓ４０４は、図３におけるステップＳ３０４、Ｓ３０５と同様であるので、その説明を省略する。
【００９８】
ステップＳ４０５は、ステップＳ４０４で受け付けた選択に対応する光源を示す光源情報を撮像装置１に送信する。
【００９９】
ステップＳ４０６〜Ｓ４１０は、図３におけるステップＳ３０４〜Ｓ３０８と同様であるので、その説明を省略する。
【０１００】
また、本実施例におけるステップＳ３０２では、撮像装置１がピント位置ズレ補正機能を有しているか否かを、撮像装置１が光源選択コマンドを実行可能か否かに基づいて判定するようにピント補正設定アプリケーションを構成したが、これに限るものではない。
【０１０１】
たとえば、ピント位置ズレ補正機能を有していることを示す判定フラグなど、ピント位置ズレ補正機能を有していることを示す情報に基づいてピント位置ズレ補正機能を有しているか否かを判定するようにピント補正設定アプリケーションを構成しても良い。
【実施例２】
【０１０２】
続いて、本発明の実施例２では、図５を参照して、レンズ交換可能な撮像装置を想定した場合における、デイナイトモード切換え時のピント補正の設定方法について説明する。なお、上述の実施形態および実施例１と重複する部分については、同一の符号を付し、その説明を適宜省略する。
【０１０３】
まず、カメラの光源の波長の違いによって生じるピントずれは、主に、レンズの特性と撮像素子の各波長に対する感度とにより決まるものである。そのため、レンズと撮像素子が１対１で決まった組み合わせしかない場合には、各光源波長に対してのピント位置補正量は、光源（波長）の数分持てば対応ができる。
【０１０４】
しかしながら、従来のように、レンズ交換が可能なカメラであって、その内部でピント位置補正量を算出することができるレンズ交換が可能なカメラの場合、状況は異なる。つまり、対応するレンズの数と対応する光源の波長の数の分だけピント位置補正量をカメラ内部で持たなくてはならず、保持しなければならないデータ量は膨大なものになってしまう。
【０１０５】
さらに、予め想定されたレンズ以外のレンズが装着された場合（例えばカメラ本体よりも新しく設計されたレンズで、カメラ本体にそのレンズに対応したピント位置補正量を持っていない場合）には、適切なピント補正が行えなくなってしまう事が考えられる。
【０１０６】
このような場合、カメラが予め想定できていなかった対象光源だと、実施例１で説明したような光源選択が可能なカメラであっても、選択可能な光源数が足りなかったり、対象光源が違ったり、ピント位置補正量が違う場合があり適切な対応が取れない。
【０１０７】
また、レンズとカメラの組み合わせを１台１台カメラ内でピント位置補正ができるように、カメラ内のピント位置補正テーブルを更新する方法もあるが、実際に何十台もそうした方法で設定するのは、時間がかかり過ぎてしまって現実的ではない。
【０１０８】
さらに、一つのアプリケーションで複数の組み合わせのピント位置補正量を算出した方が、アプリケーション自体は共通で使えるので利便性が高い。
【０１０９】
このような様々な問題に対応するために、本実施例は、実施例１を応用したものである。すなわち、ピント補正設定アプリケーション側でレンズとカメラとの組み合わせを把握し、この組み合わせからピント位置補正量をアプリケーション側で算出し、カメラ側に設定するものである。
【０１１０】
図５は、本実施例におけるピント補正設定アプリケーションで実行される、デイナイトモード切換え時のピント位置補正処理を示すフローチャートである。なお、この処理は、ピント補正設定アプリケーションが起動された際に開始される。
【０１１１】
図５におけるステップＳ５０１は、図３におけるステップＳ３０１と同様であるので、その説明を省略する。
【０１１２】
ステップＳ５０２では、ピント補正設定アプリケーションは、レンズ情報とカメラ情報とを撮像装置１から取得することができるか否かを判定する。ここで、レンズ情報とは、撮像装置に装着された交換レンズの種類を識別するための情報であり、カメラ情報とは、撮像装置の種類を識別するための情報である。
【０１１３】
そして、ピント補正設定アプリケーションは、レンズ情報とカメラ情報とを撮像装置１から取得することができると判定した場合には、ステップＳ５０３に処理を進める。一方、ピント補正設定アプリケーションは、レンズ情報とカメラ情報とを撮像装置１から取得することができないと判定した場合には、ステップＳ５０４に処理を進める。
【０１１４】
ステップＳ５０３では、ピント補正設定アプリケーションは、レンズ情報とカメラ情報とを撮像装置１から自動的に取得する。
【０１１５】
ステップＳ５０４では、ピント補正設定アプリケーションは、レンズ情報およびカメラ情報の設定をユーザーから受け付ける。
【０１１６】
ステップＳ５０５では、ピント補正設定アプリケーションは、撮像装置とレンズの組み合わせを判定し、この判定した組み合わせに適したメニュー画面を表示する。
【０１１７】
具体的には、ピント補正設定アプリケーションは、ステップＳ５０３の後には、ステップＳ５０３で取得されたレンズ情報およびカメラ情報に適したメニュー画面を表示する。一方、ピント補正設定アプリケーションは、ステップＳ５０４の後には、ステップＳ５０４で設定を受け付けたレンズ情報およびカメラ情報に適したメニュー画面を表示する。
【０１１８】
なお、ステップＳ５０５におけるメニュー画面とは、例えば、図２に示すような「デイナイトモード切換え時フォーカス設定アプリケーション」の画面である。
【０１１９】
ここで、たとえば、ピント補正設定アプリケーションは、レンズ情報が交換レンズＡを示し、カメラ情報が撮像装置Ｂを示す場合には、ウインドウ２０１のプルダウンメニュー２０５に次のような光源の種類を表示する。すなわち、蛍光灯、白熱灯、赤外照明（８５０ｎｍ）、赤外照明（９５０ｎｍ）である。
【０１２０】
一方、ピント補正設定アプリケーションは、レンズ情報が交換レンズＣを示し、カメラ情報が撮像装置Ｄを示す場合には、ウインドウ２０１のプルダウンメニュー２０５に次のような光源の種類を表示する。すなわち、蛍光灯、白熱灯、赤外照明（８００ｎｍ）、赤外照明（８５０ｎｍ）、赤外照明（９００ｎｍ）、赤外照明（９５０ｎｍ）である。
【０１２１】
ステップＳ５０６では、ピント補正設定アプリケーションは、ステップＳ５０３で取得された又はステップＳ５０４で設定されたレンズ情報およびカメラ情報の組み合わせが、撮像装置１のメモリ（不図示）に記憶されているか否かを判定する。
【０１２２】
そして、ピント補正設定アプリケーションは、ステップＳ５０３で取得された又はステップＳ５０４で設定されたレンズ情報およびカメラ情報の組み合わせが撮像装置１のメモリに記憶されていると判定した場合には、ステップＳ５０７に処理を進める。
【０１２３】
一方、ピント補正設定アプリケーションは、ステップＳ５０３で取得された又はステップＳ５０４で設定されたレンズ情報およびカメラ情報の組み合わせが撮像装置１のメモリに記憶されていない場合には、ステップＳ５０９に処理を進める。
【０１２４】
ステップＳ５０７は、図３におけるステップＳ３０５と同様であるので、その説明を省略する。
【０１２５】
ステップＳ５０８は、図４におけるステップＳ４０５と同様であるので、その説明を省略する。
【０１２６】
ステップＳ５０９〜Ｓ５１２は、図３におけるステップＳ３０５〜Ｓ３０８と同様であるので、その説明を省略する。
【０１２７】
以上のように、本実施例では、ピント補正設定アプリケーションは、撮像装置１の本体とこの本体に着脱可能な交換レンズであるレンズ群１０１との組み合わせを判定し、判定した組み合わせに応じてピント位置補正量を算出する。
【０１２８】
これにより、カメラとその本体に着脱可能な交換レンズとがどのような組み合わせであっても、光学フィルタの挿抜により生じるピント位置のズレを補正し、ピントの合った映像を表示することができる。その上、このズレを、撮像装置１の本体に着脱可能な交換レンズ全てのピント位置補正データを撮像装置１で記憶することなく、且つ撮像装置１の補正量算出データを直接変更することなく、補正することができる。
【実施例３】
【０１２９】
上述の実施例１および実施例２では、撮像装置１に対する光源の設定方法について述べたが、本発明の実施例３では、撮像装置１に設定されている光源の確認方法について述べる。なお、上述の実施形態、実施例１および実施例２と重複する部分については、同一の符号を付し、その説明を適宜省略する。
【０１３０】
本実施例では、光源情報を記憶するメモリを備えた撮像装置１を想定する。このメモリは、図４におけるステップＳ４０５でピント補正設定アプリケーションから送信された光源情報を、記憶するためのものである。
【０１３１】
ピント補正設定アプリケーションが起動された際、ピント補正設定アプリケーションは、撮像装置１から光源情報を取得する。そして、ピント補正設定アプリケーションは、この取得した光源情報に基づき、現在、撮像装置１で選択されている光源が何であるかを判別可能に表示する。
【０１３２】
具体的には、ピント補正設定アプリケーションは、ウインドウ２０１のプルダウンメニュー２０５に表示される光源の種類のうち、撮像装置１から取得した光源情報に対応する光源の種類を選択状態にして表示する。また、ピント補正設定アプリケーションは、プルダウンメニュー２０５に表示される光源の種類のうち、撮像装置１から取得した光源情報に対応する光源の種類とは異なる光源の種類については、選択状態にすることなく表示する。
【０１３３】
以上のように、本実施例では、ピント補正設定アプリケーションは、撮像装置１の光源の種類を判定し、判定された光源の種類を判別可能にウインドウ２０１に表示する。これにより、ユーザーは、撮像装置１で、現在どの光源が選択されているかを判別することができる。
【０１３４】
また、本実施例では、撮像装置１に備えられたメモリに記憶された光源情報を取得して、撮像装置１の光源を判定するようにピント補正設定アプリケーションを構成したが、これに限られるものではない。
【０１３５】
たとえば、各種光源に夫々応じたピント位置補正量の代表的な値を撮像装置１側で記憶し、記憶された代表的な値を撮像装置１から取得し、取得した代表的な値に基づいて撮像装置１の光源を判定するように、ピント補正設定アプリケーションを構成しても良い。
【０１３６】
また、本実施例では、撮像装置１に備えられたメモリに光源情報を記憶させている。これにより、撮像装置１内部でも（撮像装置１自身も）、現在、設定されている光源を判定することが可能となる。その上、この記憶された光源情報を取得することで、ピント補正設定アプリケーション以外の様々なアプリケーションで、撮像装置１で現在設定されている光源を判定して確認することが可能となる。
【０１３７】
また、上述の実施形態および実施例では、撮像装置１の光源とズーム位置などのパラメータとからピント位置補正量を算出するものとしたが、これに限られるものではない。
【０１３８】
たとえば、図７に示すようなピント位置補正量テーブルから、撮像装置１の光源およびズーム位置などのパラメータに対応するピント位置補正量を取得する（読み出す）ように、撮像装置１やピント補正設定アプリケーションを構成しても良い。
【０１３９】
この図７に示すピント位置補正量テーブルは、ピント位置補正量と光源およびズーム位置とが対応付けられたテーブルであり、撮像装置１や外部設定部１１７に備えられたメモリに保持されるように構成しても良い。なお、このような撮像装置１や外部設定部１１７に備えられたメモリは、ピント位置補正量を各種光源ごとに保持する保持部に相当する。
【０１４０】
ここで、図７に示すピント位置補正量テーブルにおける、蛍光灯欄、白熱灯欄、赤外照明（８５０ｎｍ）欄、および赤外照明（９５０ｎｍ）欄のそれぞれには、ズーム位置と、ピント位置補正量とが格納されている。
【０１４１】
このズーム位置の欄には、たとえば、広角端を１とし、この広角端から望遠端に近づくに連れ、２、３、４、５…、と増加するような、ズーム位置を示す値が格納される。また、このピント位置補正量には、たとえば、レンズ群１０１を移動させるためのステッピングモータを駆動させるためのステップ数が格納される。
【０１４２】
また、本発明は、以下の処理を実行することによっても実現される。即ち、上述の実施形態及び実施例の機能を実現するソフトウェア（プログラム）を、ネットワーク又は各種記憶媒体を介してシステム又は装置に供給し、そのシステム又は装置のコンピュータ（又はＣＰＵやＭＰＵ等）がプログラムを読み出して実行する処理である。
【０１４３】
以上、本発明の好ましい実施形態および実施例について説明したが、本発明はこれらの実施形態および実施例に限定されず、その要旨の範囲内で種々の変形及び変更が可能である。
【符号の説明】
【０１４４】
１  撮像装置
１０１  レンズ群
１０２  光学フィルタ
１１７  外部設定部
２０１  ウインドウ
【図１】
2014120923.tif 000003
【図２】
2014120923.tif 000004
【図３】
2014120923.tif 000005
【図４】
2014120923.tif 000006
【図５】
2014120923.tif 000007
【図６】
2014120923.tif 000008
【図７】
2014120923.tif 000009
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
撮像装置とネットワーク経由で通信可能に接続可能な外部装置であって、
前記撮像装置の撮像光学系の光路に光学フィルタが挿抜されることにより生じるピント位置のズレを補正するためのピント位置補正量を保持する保持手段と、  
前記保持されたピント位置補正量から、使用するピント位置補正量を取得する取得手段と、
前記光学フィルタを挿抜させるための指示を撮像装置に送る場合に、前記撮像装置から他の光学又は周囲環境パラメータも取得し、前記他の光学又は周囲環境パラメータに基づき前記取得手段によって取得されたピント位置補正量で前記撮像装置のピント位置を補正すると共に前記光学フィルタの挿抜を制御するための制御情報を前記撮像装置に送信するための制御手段と
を有することを特徴とする外部装置。
【請求項２】
前記ピント位置補正量は、光源、ズーム位置、フォーカス位置、絞り、および温度のうち少なくとも１つ以上の光学又は周囲環境パラメータの変化に伴って変化することを特徴とする請求項１に記載の外部装置。
【請求項３】
前記撮像装置が前記ピント位置補正量を決定する決定手段を備えるか否かを判定する判定手段と、
前記判定手段で備えていないと判定された場合には、前記制御手段を実行し、前記判定手段で備えていると判定された場合には、前記制御手段を実行しない実行手段と、
をさらに有することを特徴とする請求項１乃至２のいずれか１項に記載の外部装置。
【請求項４】
前記撮像装置本体に着脱可能な交換レンズの種類を検出する検出手段をさらに有し、
前記光学又は周囲環境パラメータは前記交換レンズの種類を含むことを特徴とする請求項１乃至３のいずれか１項に記載の外部装置。
【請求項５】
前記撮像装置のズーム位置を設定するズーム位置設定手段と、
光源の種類を選択する光源選択手段と、
前記設定されたズーム位置と前記選択された光源の種類とに基づき、前記ズレを補正するためのピント位置補正量を決定する補正量決定手段と、
前記決定されたピント位置補正量を前記撮像装置に前記ネットワーク経由で送信するための送信手段と、
を有することを特徴とする請求項１乃至４のいずれか一項に記載の外部装置。
【請求項６】
前記撮像装置から送信される映像信号を受信する受信手段と、
前記受信された映像信号に対応する画像を表示部に表示させる表示制御手段と、
をさらに有することを特徴とする請求項５に記載の外部装置。
【請求項７】
前記送信手段は、前記決定されたピント位置補正量とともに、前記設定されたズーム位置を送信することを特徴とする請求項５に記載の外部装置。
【請求項８】
前記送信手段は、前記決定されたピント位置補正量とともに、前記選択された種類を送信することを特徴とする請求項５に記載の外部装置。
【請求項９】
前記撮像装置で選択された光源の種類を判定する光源判定手段と、
前記判定された光源の種類を判別可能に表示部に表示させる表示制御手段と、
をさらに有することを特徴とする請求項５に記載の外部装置。
【請求項１０】
撮像装置とネットワーク経由で通信可能に接続可能な外部装置の制御方法であって、
前記撮像装置の撮像光学系の光路に光学フィルタが挿抜されることにより生じるピント位置のズレを補正するためのピント位置補正量を保持部に保持させる保持ステップと、
前記保持されたピント位置補正量から、使用するピント位置補正量を取得する取得ステップと、
前記光学フィルタを挿抜させるための指示を撮像装置に送る場合に、前記撮像装置から他の光学又は周囲環境パラメータも取得し、前記他の光学又は周囲環境パラメータに基づき前記取得ステップによって、取得されたピント位置補正量で前記撮像装置のピント位置を補正すると共に前記光学フィルタの挿抜を制御するための制御情報を前記撮像装置に送信するための制御ステップと、
を有することを特徴とする外部装置の制御方法。
【請求項１１】
撮像光学系の光路に光学フィルタが挿抜されることで生じるピント位置のズレを補正する撮像装置と、当該撮像装置とネットワーク経由で通信可能に接続可能な外部装置と、で構成される撮像システムであって、
前記外部装置は、
ズーム位置を設定するズーム位置設定手段と、
光源の種類を選択する光源選択手段と、
少なくとも前記設定されたズーム位置と前記選択された光源の種類とに基づき、前記ズレを補正するためのピント位置補正量を決定する補正量決定手段と、
前記決定されたピント位置補正量を前記撮像装置に前記ネットワーク経由で送信する送信手段と、
を有し、
前記撮像装置は、
前記送信されたピント位置補正量を受信する受信手段と、
前記挿抜される際、前記受信されたピント位置補正量でピント位置を補正するピント位置補正手段と、
を有することを特徴とする撮像システム。
【請求項１２】
撮像光学系の光路に光学フィルタが挿抜されることで生じるピント位置のズレを補正する撮像装置と、当該撮像装置とネットワーク経由で通信可能に接続可能な外部装置と、で構成される撮像システムの制御方法であって、
前記外部装置において、
ズーム位置を設定するズーム位置設定ステップと、
光源の種類を選択する光源選択ステップと、
少なくとも前記設定されたズーム位置と前記選択された光源の種類とに基づき、前記ズレを補正するためのピント位置補正量を決定する補正量決定ステップと、
前記決定されたピント位置補正量を前記撮像装置に前記ネットワーク経由で送信する送信ステップと、
前記撮像装置において、
前記送信されたピント位置補正量を受信する受信ステップと、
前記挿抜される際、前記受信されたピント位置補正量でピント位置を補正するピント位置補正ステップと、
を有することを特徴とする撮像システムの制御方法。
【請求項１３】
請求項１０に記載の複数のステップをコンピューターに実行させるためのコンピュータープログラム。
【手続補正２】
【補正対象書類名】明細書
【補正対象項目名】０００１
【補正方法】変更
【補正の内容】
【０００１】
本発明は、光学フィルタの挿抜が可能な撮像装置と通信可能な外部装置、当該外部装置の制御方法、当該撮像装置と当該外部装置とで構成される撮像システム、および当該撮像システムの制御方法に関する。
【手続補正３】
【補正対象書類名】明細書
【補正対象項目名】０００２
【補正方法】変更
【補正の内容】
【０００２】
従来から、カメラには、レンズを通って入射してくる光のうち、所定の波長の光を遮断するために、赤外線カットフィルタ（以下、ＩＲＣＦと称することがある）などの光学フィルタが用いられていた。たとえば、被写体からの光がＩＲＣＦを経由することで、人の見た目と同じくなるように、映像が赤みがかるのを防止することができる。
【手続補正４】
【補正対象書類名】明細書
【補正対象項目名】００１０
【補正方法】変更
【補正の内容】
【００１０】
本発明は上記のような点に鑑みてなされたものである。光学フィルタの挿抜で生じるピント位置のズレを補正するための補正量を精度よく決定し当該撮像装置に当該ズレを補正させることができる外部装置、外部装置の制御方法、撮像システムおよび撮像システムの制御方法を提供することである。
【手続補正５】
【補正対象書類名】明細書
【補正対象項目名】００１１
【補正方法】変更
【補正の内容】
【００１１】
上記目的を達成するために、本発明の外部装置は、撮像装置とネットワーク経由で通信可能に接続可能な外部装置であって、前記撮像装置の撮像光学系の光路に光学フィルタが挿抜されることにより生じるピント位置のズレを補正するためのピント位置補正量を保持する保持手段と、前記保持されたピント位置補正量から、使用するピント位置補正量を取得する取得手段と、前記光学フィルタを挿抜させるための指示を撮像装置に送る場合に、前記撮像装置から他の光学又は周囲環境パラメータも取得し、前記他の光学又は周囲環境パラメータに基づき前記取得手段によって取得されたピント位置補正量で前記撮像装置のピント位置を補正すると共に前記光学フィルタの挿抜を制御するための制御情報を前記撮像装置に送信するための制御手段とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００５１
【補正方法】変更
【補正の内容】
【００５１】
そして、項目「光源に応じた補正を実行」は、撮像装置１の被写体に照射されている光源が予め分かる場合（例えば被写体を照明するための人工光源を選択できる場合や、ユーザー自身が周囲の光源種別を判断して選択する場合など）や周囲の光源の波長分布や周囲の明るさなどを測定することによって自動選択される項目である。この項目を選択し且つその光源を選択する事により、光源の波長の違いに応じてピントの補正量を適切に補正するように、撮像装置１に指示することができる。なお、例えば周囲の明るさのレベルが所定値より低いことを判断することによって自動的にナイトモードを選択し、逆に周囲の明るさが所定のレベルより高いことを判断することによって自動的にデイモードを選択してもよいことはいうまでもない。
【手続補正１２】
【補正対象書類名】明細書
【補正対象項目名】００６１
【補正方法】変更
【補正の内容】
【００６１】
また、本実施形態では、撮像装置１に通信可能に接続される外部設定部１１７は、１つであるものとした。しかしながら、撮像装置１に通信可能に接続される外部設定部１１７が複数台存在する場合も想定され得る。この場合、ある外部設定部１１７で光源の種類を手動または自動で選択している際に、この外部設定部１１７とは異なる外部設定部１１７から、撮像装置１のズーム位置や撮影方向を変更されてしまう可能性がある。
【手続補正１３】
【補正対象書類名】明細書
【補正対象項目名】００７３
【補正方法】変更
【補正の内容】
【００７３】
具体的には、まず、ピント補正設定アプリケーションは、光源を手動または自動で選択するための光源選択コマンドを撮像装置１に送信する。次に、ピント補正設定アプリケーションは、送信した光源選択コマンドの返信として、撮像装置１がこの光源選択コマンドを実行可能な場合には、成功を示す応答を受信し、撮像装置１がこの光源選択コマンドを実行不可能な場合には、失敗を示す応答を受信する。